(57)【要約】【課題】  ディスクガイドと駆動ローラとによりディスク媒体の両端縁を均等な力で挟持できるようにし、ディスク媒体の搬送の信頼性を高めること。【解決手段】  ディスクローディング装置は、回転する駆動ローラ６と、この駆動ローラ６との間で光ディスク３を挟持するディスクガイド８とを備えている。ディスクガイド８は、駆動ローラ６に対向配置された押圧部８ａ，８ｂ，８ｃ，８ｄと、軸受部１１ａ，１１ｂにより支持される揺動軸８ｅ，８ｆと、ディスクガイド８を駆動ローラ６側に付勢するスプリング１０ａ，１０ｂとを備えている。軸受部１１ａ，１１ｂは、ディスクガイド８の駆動ローラ６の回転軸に対する傾きが変化しうるように、揺動軸８ｅ，８ｆを支持している。【選択図】        図１
2007073145.tif 000002
【特許請求の範囲】
【請求項１】
回転することによりディスク媒体を搬送する駆動ローラと、
前記駆動ローラに対向配置された押圧部と、前記押圧部を前記駆動ローラに対して接近及び離間させるよう揺動させるための揺動軸とを有するディスクガイドと、
前記ディスクガイドの前記揺動軸を支持する揺動支持手段と、
前記ディスクガイドの前記押圧部を前記駆動ローラ側に押圧するよう、前記ディスクガイドを付勢する付勢手段と
を備え、
前記揺動支持手段が、前記ディスクガイドの前記駆動ローラの軸方向に対する傾きが変化しうるように、前記揺動軸を支持していること
を特徴とするディスクローディング装置。
【請求項２】
前記ディスクガイドには、一対の前記揺動軸が互いに同軸に設けられており、
前記揺動支持手段は、前記一対の揺動軸をそれぞれ支持する一対の軸受部を有することを特徴とする請求項１に記載のディスクローディング装置。
【請求項３】
前記駆動ローラと前記ディスクガイドとが対向する方向において、前記軸受部の長さが前記揺動軸の外径よりも長く、前記揺動軸が前記軸受部の内側で移動可能に支持されていることを特徴とする請求項２に記載のディスクローディング装置。
【請求項４】
少なくとも一つの前記揺動軸を、前記軸受部から脱落不能に保持するためのねじを更に備えたことを特徴とする請求項３に記載のディスクローディング装置。
【請求項５】
少なくとも一つの前記揺動軸が、前記軸受部を軸方向に貫通していることを特徴とする請求項３又は４に記載のディスクローディング装置。
【請求項６】
前記ディスクガイドは、前記搬送の方向に並ぶように配置された複数の前記押圧部を備え、前記複数の押圧部の間には溝部が形成され、
前記駆動ローラは、前記ディスクガイドの前記溝部に対向することを特徴とする請求項１から５までのいずれか１項に記載のディスクローディング装置。
【請求項７】
前記押圧部は、前記駆動ローラの軸方向における両端に近づくにつれて前記駆動ローラ側に突出する形状を有していることを特徴とする請求項１から６までのいずれか１項に記載のディスクローディング装置。
【請求項８】
請求項１から７までのいずれか１項に記載のディスクローディング装置と、
前記ディスクローディング装置により収納された前記ディスク媒体を保持して回転させるターンテーブルと、
前記ターンテーブルにより回転する前記ディスク媒体に対し、信号の記録、再生又はその両方を行うヘッドと
を備えたことを特徴とするディスク装置。
【発明の詳細な説明】
【技術分野】
【０００１】
本発明は、ＣＤ（Compact Disk）やＤＶＤ（Digital Versatile Disk）などのディスク媒体を直接ローディングするスロットイン方式のディスク装置、及び、ディスク装置に設けられたディスクローディング装置に関する。
【背景技術】
【０００２】
従来より、ディスク媒体を直接的に（ディスクトレイ等を用いずに）収納し、また排出するスロットイン方式のディスク装置が知られている。この種のディスク装置では、挿入口から挿入されたディスク媒体を駆動ローラとディスクガイドとで挟持し、駆動ローラの回転により所定の位置まで搬送する。駆動ローラは、軸方向中心が軸方向両端より細い形状を有しており、駆動ローラとディスクガイドとでディスク媒体の両端縁を挟持するようになっている（例えば、特許文献１参照）。
【０００３】
【特許文献１】特開２００３−７７１９８号公報（第３−４頁、図６）
【発明の開示】
【発明が解決しようとする課題】
【０００４】
しかしながら、従来のディスク装置では、ディスクガイドが駆動ローラに対してほぼ平行に固定されていたため、製造段階でディスクガイドの変形（捩れや反りなど）が生じた場合、あるいは、駆動ローラに対してディスクガイドが均等に押圧されていない場合には、駆動ローラとディスクガイドとによる挟持力がディスク媒体の両端縁で異なり、その結果、ディスク媒体が斜めに搬送されて他の構成部品に衝突し、あるいは駆動ローラの搬送負荷が大きくなって搬送が停止するという問題がある。
【０００５】
また、ディスク媒体が、駆動ローラの中心に対して偏った位置に挿入された場合には、やはり駆動ローラとディスクガイドとによる挟持力がディスク媒体の両端縁でアンバランスになるため、ディスク媒体が斜めに搬送され、あるいは駆動ローラの搬送負荷が大きくなって搬送が停止するという問題がある。
【０００６】
さらに、家庭用ＤＶＤプレーヤとしての用途では、ディスク表面が地面と直交するような向きに配置される場合（いわゆる縦置き）がある。このような縦置きのディスク装置に小径のディスク媒体（たとえば直径８ｃｍのディスク媒体）を挿入する場合、駆動ローラの中心に対して偏って挿入されやすい。一方、従来のディスク装置では、駆動ローラの軸方向中心部の外径が両端の外径よりも細い。そのため、ディスク媒体が駆動ローラの中心に対して偏って挿入された場合には、駆動ローラとディスクガイドとによる挟持力が不均等になり、ディスク媒体を所定の収納位置まで搬送できないという問題もある。
【０００７】
本発明は、上記のような問題点を解決するためになされたもので、ディスクガイドと駆動ローラとによりディスク媒体の両端縁を均等な力で挟持できるようにし、ディスク媒体の搬送の信頼性を高めることを目的とする。
【課題を解決するための手段】
【０００８】
本発明に係るディスクローディング装置は、回転することによりディスク媒体を搬送する駆動ローラと、前記駆動ローラに対向配置された押圧部と、前記押圧部を前記駆動ローラに対して接近及び離間させるよう揺動させるための揺動軸とを有するディスクガイドと、前記ディスクガイドの前記揺動軸を支持する揺動支持手段と、前記ディスクガイドの前記押圧部を前記駆動ローラ側に押圧するよう、前記ディスクガイドを付勢する付勢手段とを備え、前記揺動支持手段が、前記ディスクガイドの前記駆動ローラの軸方向に対する傾きが変化しうるように、前記揺動軸を支持していることを特徴とする。
【発明の効果】
【０００９】
本発明によれば、製造段階において駆動ローラが傾いて取り付けられていた場合や、ディスク媒体が駆動ローラの中心に対して偏った位置に挿入された場合には、ディスクガイドと駆動ローラとの間でディスク媒体の両端縁を均等な力で挟持するように、ディスクガイドの傾きが変化する。その結果、ディスクガイドと駆動ローラとでディスク媒体の両端縁を均等な力で挟持し、所定の搬送路に沿ってディスク媒体を正確に搬送することができる。これにより、ディスク媒体と他の構成部品との衝突や、駆動ローラの搬送負荷の増大に伴う搬送停止を防止することができる。すなわち、信頼性の高いディスクローディング装置を得ることができる。
【発明を実施するための最良の形態】
【００１０】
実施の形態１．
図１は、本発明の実施の形態１に係るディスクローディング装置を備えたディスク装置を示す分解斜視図である。ディスク装置は、例えば家庭用ＤＶＤプレーヤとして使用され、光ディスク（ディスク媒体）３に対して信号の記録、再生又はその両方を行うものである。
【００１１】
図１に示すように、光ディスク３の回転軸の方向をＺ方向とする。このＺ方向に沿って、光ヘッド１５（図８）から光ディスク３に向かう方向を＋Ｚ方向（上方）とし、その反対方向を−Ｚ方向（下方）とする。また、光ディスク３のディスク装置内の収納及び排出方向をＹ方向とする。このＹ方向に沿って、光ディスク３を収納する方向を＋Ｙ方向とし、排出する方向を−Ｙ方向とする。さらに、光ディスク３の記録面と平行な面内においてＹ方向と直交する方向をＸ方向（左右方向）とする。
【００１２】
ディスク装置は、上面が開放された箱形状の筐体１と、この筐体１の上面を覆うカバーシャーシ２とからなる本体を有している。この本体（筐体１及びカバーシャーシ２）の前面には、光ディスク３を挿入するための挿入口１ａ，２ａが形成されている。挿入口１ａ，２ａは、組み合わさって一つの長方形状の開口部を形成するものである。
【００１３】
筐体１の上側には、光ディスク３の挿入口１ａ，２ａに隣接するように、ローラ支持部材４が固定されている。このローラ支持部材４は、摩擦係数の小さい合成樹脂により射出成形されたものである。ローラ支持部材４の上面には、中央部が最も低く、左右両端部に近づくに従って徐々に高くなる（すなわち＋Ｚ方向に突出する）左右対称のテーパ面４ａ，４ｂが形成されている。このテーパ面４ａ，４ｂのため、光ディスク３がローラ支持部材４に当接したとしても、ローラ支持部材４が光ディスク３の両端縁に当接し、記録面には当接しない。
【００１４】
ローラ支持部材４は、Ｘ方向（左右）の両側に側壁を有しており、これら側壁には凹部であるローラ軸受部４ｃ，４ｄが形成されている。このローラ軸受部４ｃ，４ｄ部には、駆動ローラ６が、ローラ軸５を介して回転可能に取り付けられている。また、駆動ローラ６は、軸方向中央部において外径が最も小さく、両端部に近づくに従って外径が徐々に大きくなる形状を有している（すなわち左右対称な円錐状の外周面を有している）。駆動ローラ６は、合成ゴムなどの摩擦係数の高い材料により形成され、Ｘ方向に延在する金属製のローラ軸５と一体的に回転するよう構成されている。また、ローラ軸５の一端には、ギア７が固定されている。筐体１内に配置されたモータ（図示せず）からの駆動力は、歯車列（図示せず）を介してギア７に伝達され、Ｘ方向の軸線を中心として駆動ローラ６が回転駆動させる。
【００１５】
駆動ローラ６の上側（＋Ｚ側）には、ディスクガイド８が、カバーシャーシ２に揺動可能に取り付けられている。このディスクガイド８は、摩擦係数の小さい合成樹脂により射出成形されたものである。
【００１６】
図２は、実施の形態１に係るディスクローディング装置におけるディスクガイド８の支持構造を、駆動ローラ６側から見た分解斜視図である。図３は、実施の形態１に係るディスクローディング装置におけるディスクガイドの支持構造を、駆動ローラ６側から見た斜視図である。図２及び図３は、＋Ｚ方向が下になる向きに表されている。図４は、実施の形態１に係るディスクローディング装置におけるディスクガイドの支持構造を示す斜視図である。
【００１７】
図２に示すように、ディスクガイド８のディスク収納方向（＋Ｙ方向）の先端には、駆動ローラ６（図１）に対向する押圧部８ａ，８ｂ，８ｃ，８ｄが形成されている。押圧部８ａ，８ｂは、Ｘ方向中心からＸ方向端部にかけて外径が徐々に大きくなるよう（すなわち、駆動ローラ６側への突出量が徐々に大きくなるよう）形成されており、左右対称の円錐面を有している。押圧部８ｃ，８ｄは、上記の押圧部８ａ，８ｂのディスク収納方向（＋Ｙ方向）に隣接して、押圧部８ａ，８ｂと同様に形成されている。
【００１８】
ディスクガイド８の押圧部８ａ〜８ｄは、駆動ローラ６（図１）の軸方向両端部にそれぞれ対向している。ディスクガイド８の押圧部８ａ，８ｂ，８ｃ，８ｄと駆動ローラ６とで、光ディスク３を挟持し、駆動ローラ６の回転駆動によって光ディスク３を搬送するようになっている。また、ディスクガイド８の軸方向中央部は駆動ローラ６側に突出しておらず、駆動ローラ６の軸方向中央部の外径は両端部よりも小さいため、ディスクガイド８及び駆動ローラ６が光ディスク３の両端縁を挟持する際、光ディスク３の記録面には接触しない。
【００１９】
ディスクガイド８のＸ方向両端には、左右一対の揺動軸８ｅ，８ｆが、Ｘ方向に互いに同軸に突出形成されている。ディスクガイド８の揺動軸８ｅ，８ｆは、カバーシャーシ２に形成された軸受部１１ａ，１１ｂに係合している。揺動軸８ｅ，８ｆと軸受部１１ａ，１１ｂとの係合により、ディスクガイド８は、カバーシャーシ２に揺動自在に支持される。なお、図２及び図３に示すように、ディスクガイド８の揺動軸８ｅ，８ｆは、ネジ９ａ，９ｂ及びそのワッシャによって、軸受部１１ａ，１１ｂから脱落しないように保持されている。
【００２０】
図５は、ディスクガイド８を示す斜視図である。図６は、ディスクガイド８を示す側面図である。図５に示すように、ディスクガイド８の揺動軸８ｅ，８ｆよりもディスク搬出側（−Ｙ方向）には、略四角形の開口部８１，８２が形成されている。この開口部８１，８２の内側には、左右一対の突起部８ｇ，８ｈが形成されている。この突起部８ｇ，８ｈには、スプリング１０ａ，１０ｂ（図２）が装着されている。図４に示すように、スプリング１０ｂの一端はディスクガイド８を押圧し、他端はカバーシャーシ２を押圧している。スプリング１０ａについても、スプリング１０ｂと同様である。スプリング１０ａ，１０ｂの付勢によって、ディスクガイド８のディスク収納方向（＋Ｙ方向）の先端に形成された押圧部８ａ，８ｂ，８ｃ，８ｄが駆動ローラ６側（−Ｚ方向）に付勢される。
【００２１】
図５に示すように、ディスクガイド８のＸ方向一側端には、固定ボス８ｊが形成されている。また、ディスクガイド８の光ディスク３に対向する面（−Ｚ方向の面）には、ディスクガイド８が揺動した際に光ディスク３との接触を防ぐための回避部８ｋが設けられている。また、図６に示すように、ディスクガイド８のディスク排出方向（−Ｙ方向）の端部に沿って、シャッタ８ｍが形成されている。シャッタ８ｍは、Ｘ方向における長さが光ディスク３の直径より長く、また−Ｚ方向にも所定量（挿入口１ａ，２ａをほぼ塞ぐことができる程度）延在している。
【００２２】
光ディスク３の収納が完了したときには、図示しないディスクガイド揺動機構によりディスクガイド８が揺動し、押圧部８ａ，８ｂ，８ｃ，８ｄが＋Ｚ方向に移動する（すなわち光ディスク３から離れる）。この状態で、固定ボス８ｊが筐体１内にの所定の係合部に係合して固定され、ディスクガイド８の押圧部８ａ，８ｂ，８ｃ，８ｄが光ディスク３から離れた位置で保持される。また、この状態で、ディスクガイド８のシャッタ８ｍが挿入口１ａ，２ａを閉鎖して、光ディスク３の誤挿入を防止する。
【００２３】
図７は、ディスクガイド８の支持構造を示す側面図である。図７に示すように、揺動軸８ｅ，８ｆは、カバーシャーシ２に設けられた軸受部１１ａ，１１ｂに係合している。カバーシャーシ２に設けられた軸受部１１ａ，１１ｂは、ＹＺ面内における形状が略長方形状であって、−Ｚ側が開放されている。軸受部１１ａ，１１ｂの−Ｚ側は、ネジ９ａ，９ｂに固定されたワッシャ９ｃ，９ｄによって塞がれている。これにより、ディスクガイド８の揺動軸８ｅ，８ｆは、軸受部１１ａ，１１ｂの内側において回動可能となっている。また、軸受部１１ａ，１１ｂのＺ方向の長さは、ボス１１ａ，１１ｂの外径よりも長く、軸受部１１ａ，１１ｂの内側でボス１１ａ，１１ｂがＺ方向に移動可能となっている。これにより、ディスクガイド８の傾きが変化しうるようになっている。
【００２４】
光ディスク３が挿入される前の状態では、スプリング１０ａ，１０ｂ（図２）の付勢力によって、ディスクガイド８の揺動軸８ｅ，８ｆが−Ｚ方向の移動限界位置（図７に実線で示す）にある。光ディスク３が駆動ローラ６に対して傾斜して挿入された場合には、ディスクガイド８の揺動軸８ｅ，８ｆのいずれかが図７に破線で示す位置まで移動し、ディスクガイド８の傾きが変化する。なお、ディスクガイド８は、合成樹脂により射出成形されていると説明したが、加工精度上の問題がなければ、金属板にプレス加工を施したものであってもよいし、必要に応じて金属板と合成樹脂つなぎ合わせ形成したものであってもよい。
【００２５】
図８は、実施の形態１に係るディスクローディング装置を備えたディスク装置の基本構成を示す図である。図８に示すように、ディスクガイド８及び駆動ローラ６を含むディスクローディング装置（符号Ａで示す）の＋Ｙ方向には、ディスク駆動装置（符号Ｂで示す）が設けられている。このディスク駆動装置Ｂは、駆動シャーシ１６と、駆動シャーシ１６に回転自在に支持されたターンテーブル１３と、このターンテーブル１３を回転駆動するスピンドルモータ１４と、駆動シャーシ１６に移動可能に支持された光ヘッド１５とを備えている。駆動シャーシ１６の＋Ｚ側には、昇降可能なクランプシャーシ（図示せず）に取り付けられた回転可能なクランパ１２が設けられている。
【００２６】
駆動ローラ６は、Ｙ方向において、ディスクガイド８の押圧部８ａ，８ｂと押圧部８ｃ，８ｄとの間に位置している。光ディスク３は、駆動ローラ６とディスクガイド８の押圧部８ａ，８ｂ，８ｃ，８ｄとで挟持されて搬送される。このとき、光ディスク３は、上側（＋Ｚ側）の２点と、下側（−Ｚ側）の１点との計３点で安定に支持される。駆動ローラ６が回転すると、その回転力により光ディスク３が＋Ｙ方向（収納方向）に移動し、押圧部８ａ，８ｂ，８ｃ，８ｄに対して摺動しながら搬送される。
【００２７】
次に、本実施の形態に係るディスクローディング装置の動作について説明する。図９は、光ディスクが挿入されていないときのディスクローディング装置を、挿入口１ａ，２ａ（図１）の側から見た図である。図９に示すように、光ディスク３が挿入されていないときには、スプリング１０ａ，１０ｂの付勢力によりディスクガイド８の押圧部８ａ，８ｂ，８ｃ，８ｄが駆動ローラ６に圧接されている。また、駆動ローラ６の軸方向（Ｘ方向）両端は、ディスクガイド８の押圧部８ａ，８ｂと押圧部８ｃ，８ｄとの間の溝部８ｎ，８ｐ内に位置している。ディスクガイド８の押圧部８ａ，８ｂ，８ｃ，８ｄと駆動ローラ６との間には、Ｘ方向中央部で広く、Ｘ方向両端部に近づくにつれて狭くなる隙間Ｄが形成されている。軸受部１１ａ，１１ｂと揺動軸８ｅ，８ｆとの係合により、ディスクガイド８の傾きが、図中矢印α及び矢印βで示す方向に変化することができる。
【００２８】
図１０は、大径（たとえば直径１２ｃｍ）の光ディスク１７が挿入されたときのディスクローディング装置を、挿入口１ａ，２ａ（図１）の側から見た図である。図１０では、大径の光ディスク１７の中心が、駆動ローラ６の中心（すなわちディスクガイド８の中心）に一致するように挿入されているものとする。また、ディスクガイド８、駆動ローラ６及びローラ支持部材４（図１）には、捩れや反りなどがないものとする。図１０に示すように、大径の光ディスク１７が駆動ローラ６とディスクガイド８とで挟持されたときには、光ディスク１７のＸ方向両端縁が、駆動ローラ６とディスクガイド８とで常に均一な力で挟持されることになる。
【００２９】
しかしながら、例えば、ディスク装置の製造段階で、ディスクガイド８に捩れや反りや曲がりが生じたり、あるいは、ローラ支持部材４（図１）に捩れや反りが生じる場合がある。また、ディスク装置の組み立て誤差のため、ディスクガイド８や駆動ローラ６が傾いて取り付けられたり、あるいは、光ディスク３に反りや変形がある場合もある。
【００３０】
図１１は、駆動ローラ６が傾いて取り付けられている状態で、大径の光ディスクが挿入されたときのディスクローディング装置を、挿入口１ａ，２ａ（図１）の側から見た示す図である。図１１に示すように、カバーシャーシ２の軸受部１１ａ，１１ｂと揺動軸８ｅ，８ｆとの係合により、ディスクガイド８が駆動ローラ６の傾きに追従して図中β方向に傾き、これにより、ディスクガイド８の押圧部８ａ，８ｂ，８ｃ，８ｄと駆動ローラ６とによって光ディスク１７のＸ方向両端縁が均等な力で挟持される。その結果、駆動ローラ６が光ディスク１７に与える摩擦力の差がＸ方向両端縁で均等になり、光ディスク１７は所定の搬送路からずれることなく、正確に搬送される。
【００３１】
同様に、ディスクガイド８に製造段階で捩れや反りや曲がりが生じ、あるいは、ローラ支持部材４に捩れや反りなどが生じた場合であっても、ディスクガイド８と駆動ローラ６とによる光ディスク１７のＸ方向両端縁の挟持力が同じになるように、ディスクガイド８が傾く。その結果、駆動ローラ６が光ディスク１７に与える摩擦力の差がＸ方向両端縁で均等になり、光ディスク１７は所定の搬送路に沿って正確に搬送される。
【００３２】
また、大径の光ディスク１７が、駆動ローラ６の中心に対してＸ方向のいずれかの側に僅かに偏って挿入されたときでも、大径の光ディスク１７の姿勢に追従してディスクガイド８が傾き、大径の光ディスク１７の両端縁が均等な力で挟持される。従って、駆動ローラ６が光ディスク１７に与える摩擦力の差がＸ方向両端縁で均等になり、光ディスク１７は所定の搬送路に沿って正確に搬送される。
【００３３】
図１２は、小径（例えば直径８ｃｍ）の光ディスク１８が、駆動ローラ６の中心に対して偏った位置に挿入されたときのディスクローディング装置を、挿入口１ａ，２ａ（図１）の側から見た図である。図１２に示すように、カバーシャーシ２の軸受部１１ａ，１１ｂと揺動軸８ｅ，８ｆとの係合により、ディスクガイド８が、駆動ローラ６の傾斜に追従して矢印β方向に傾き、ディスクガイド８の押圧部８ａ，８ｂ，８ｃ，８ｄと駆動ローラ６とによって光ディスク１８のＸ方向両端縁が均等な力で挟持される。その結果、駆動ローラ６が光ディスク１８に与える摩擦力の差がＸ方向両端縁で均等になり、光ディスク１８は所定の搬送路に沿って正確に搬送される。
【００３４】
以上説明したように、本実施の形態によれば、光ディスク３のＸ方向両端縁を均等な力で挟持できるようにディスクガイド８の傾きが変化するため、製造段階の誤差等により駆動ローラ６等が傾いていた場合、あるいは光ディスク３が中心に対して偏った位置に挿入された場合であっても、ディスクガイド８と駆動ローラ６とで光ディスク３のＸ方向両端縁を均等な力で挟持することができる。その結果、光ディスク３は所定の搬送路に沿って正確に搬送される。すなわち、光ディスク３が他の構成部品に衝突したり、駆動ローラ６の搬送負荷が増大して搬送が停止することを防止できる。
【００３５】
また、カバーシャーシ２の軸受部１１ａ，１１ｂのＺ方向寸法を、ディスクガイド８の揺動軸８ｅ，８ｆの外径よりも長く設定したので、簡単な構成で、ディスクガイド８の傾きを変化可能にすることができる。
【００３６】
さらに、ネジ９ａ，９ｂ（及びそのワッシャ）により、揺動軸８ｅ，８ｆを軸受部１１ａ，１１ｂから脱落しないように保持したので、揺動軸８ｅ，８ｆを軸受部１１ａ，１１ｂに組み付ける作業が容易になり、ディスクローディング装置の組み立てが容易になる。
【００３７】
また、駆動ローラ６が、ディスクガイド８の押圧部８ａ，８ｂと押圧部８ｃ，８ｄとの間の溝部８ｎ，８ｐに対向しているので、例えば小径の光ディスク１８が駆動ローラ６のＸ方向中心に対して偏って挿入され、それに応じてディスクガイド８が傾斜した場合であっても、駆動ローラ６のＸ方向一端をディスクガイド８の溝部８ｎに逃がし、ディスクガイド８と駆動ローラ６との当接を回避することができる。
【００３８】
さらに、ディスクガイド８の押圧部８ａ〜８ｄが、Ｘ方向両端部に近づくにつれて駆動ローラ６側に突出する形状を有しているため、駆動ローラ６との間で光ディスクのＸ方向両端縁を挟持することができる。
【００３９】
実施の形態２．
図１３及び図１４は、本発明の実施の形態２に係るディスクローディング装置におけるディスクガイド８の支持構造を示す分解斜視図及び斜視図である。
【００４０】
図１３及び図１４に示すように、本実施の形態では、ディスクガイド８の揺動軸８ｅ，８ｆの一方（ここでは揺動軸８ｆ）が、軸受部１９をＸ方向に貫通し、筐体１に形成された孔部に挿入されている。図１５は、揺動軸８ｆが挿入される筐体１の孔部１１ｃを説明するための模式図である。揺動軸８ｆは、その先端が筐体１の孔部１１ｃに挿入されることにより、軸受部１９からＺ方向に脱落しないように保持される。また、実施の形態１と同様にディスクガイド８が傾くことができるよう、孔部１１ｃのＺ方向の長さＬは、揺動軸８ｆの外径よりも長く設定されている。
【００４１】
一方、図１３及び図１４に示すように、ディスクガイド８の他方の揺動軸８ｅは、実施の形態１と同様、軸受部１１ａに挿入され、ねじ９ａにより軸受部１１ａから脱落しないように保持されている。他の構成は、実施の形態１と同様である。
【００４２】
このように構成されているため、本実施の形態では、実施の形態１で説明した効果に加え、ネジ９ａ，９ｂの一方（ここではネジ９ｂ）を設けなくてもよいため、部品点数を少なくすることができ、製造工程を簡単にすることができる。
【００４３】
上述した実施の形態１，２では、ディスク装置を家庭用のＤＶＤプレーヤとして説明したが、ＤＶＤプレーヤに限らず、記録媒体としての光ディスク３に対して信号の記録、再生又はその両方を行う装置であればよい。
【００４４】
また、上述した実施の形態１，２では、挿入口１ａ，２ａから挿入された光ディスクを搬送する機構について説明したが、本発明は、例えばディスクチェンジャーにおいて、複数の光ディスクを格納した光ディスク格納部から光ディスクを選択してディスク装置内に搬送するものに適用してもよい。
【００４５】
また、上述した実施の形態１，２では、ディスクガイド８にスプリング１０ａ，１０ｂを取り付け、スプリング１０ａ，１０ｂの付勢力によってディスクガイド８と駆動ローラ６とを平行な状態に保持しているが、ディスクガイド８を弾性変形可能な材料で構成し、その一部をスプリング１０ａ，１０ｂの代わりに利用してもよい。
【図面の簡単な説明】
【００４６】
【図１】本発明の実施の形態１に係るディスクローディング装置を備えたディスク装置を示す分解斜視図である。
【図２】本発明の実施の形態１に係るディスクローディング装置におけるディスクガイドの支持構造を示す分解斜視図である。
【図３】本発明の実施の形態１に係るディスクローディング装置におけるディスクガイドの支持構造を示す斜視図である。
【図４】本発明の実施の形態１に係るディスクローディング装置におけるディスクガイドの支持構造を示す斜視図である。
【図５】本発明の実施の形態１に係るディスクローディング装置におけるディスクガイドを示す斜視図である。
【図６】本発明の実施の形態１に係るディスクローディング装置におけるディスクガイドを示す側面図である。
【図７】本発明の実施の形態１に係るディスクローディング装置におけるディスクガイドの揺動軸の支持構造を示す側面図である。
【図８】本発明の実施の形態１に係るディスクローディング装置を備えたディスク装置の基本構成を示す図である。
【図９】大径の光ディスクが挿入されたときのディスクローディング装置を示す図である。
【図１０】大径の光ディスクが挿入されたときのディスクローディング装置を示す図である。
【図１１】駆動ローラが傾いて取り付けられている状態で、大径の光ディスクが挿入されたときのディスクローディング装置を示す図である。
【図１２】小径の光ディスクが、駆動ローラの中心に対して偏った位置に挿入されたときのディスクローディング装置を示す図である。
【図１３】本発明の実施の形態２に係るディスクローディング装置におけるディスクガイドの支持構造を示す分解斜視図である。
【図１４】本発明の実施の形態２に係るディスクローディング装置におけるディスクガイドの支持構造を示す斜視図である。
【図１５】図１３に示したディスクガイドの揺動軸及び孔部を拡大して示す模式図である。
【符号の説明】
【００４７】
１  筐体、  １ａ，２ａ  挿入口、  ２  カバーシャーシ、  ３  光ディスク、  ４  ローラ支持部材、  ４ａ，４ｂ  テーパ面、  ４ｃ，４ｄ  ローラ軸受部、  ５  ローラ軸、  ６  駆動ローラ、  ７  ギア、  ８  ディスクガイド、  ８ａ，８ｂ，８ｃ，８ｄ  押圧部、  ８ｅ，８ｆ  揺動軸、  ８ｇ，８ｈ  突起部、  ８ｋ  回避部、  ８ｍ  シャッタ、  ８ｎ，８ｐ  溝部、  ９ａ，９ｂ  ネジ、  １０ａ，１０ｂ  スプリング、  １１ａ，１１ｂ  軸受部、  １１ｃ  孔部、  １２  クランパ、  １３  ターンテーブル、  １４  スピンドルモータ、  １５  光ヘッド、  １６  駆動シャーシ、  １７  光ディスク（大径）、  １８  光ディスク（小径）、  １９  軸受部。
【図１】
2007073145.tif 000003
【図２】
2007073145.tif 000004
【図３】
2007073145.tif 000005
【図４】
2007073145.tif 000006
【図５】
2007073145.tif 000007
【図６】
2007073145.tif 000008
【図７】
2007073145.tif 000009
【図８】
2007073145.tif 000010
【図９】
2007073145.tif 000011
【図１０】
2007073145.tif 000012
【図１１】
2007073145.tif 000013
【図１２】
2007073145.tif 000014
【図１３】
2007073145.tif 000015
【図１４】
2007073145.tif 000016
【図１５】
2007073145.tif 000017
【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
回転することによりディスク媒体を搬送する駆動ローラと、
前記駆動ローラに対向配置された押圧部と、前記押圧部を前記駆動ローラに対して接近及び離間させるよう揺動させるための揺動軸とを有するディスクガイドと、
前記ディスクガイドの前記揺動軸を支持する揺動支持手段と、
前記ディスクガイドの前記押圧部を前記駆動ローラ側に押圧するよう、前記ディスクガイドを付勢する付勢手段と
を備え、
前記揺動支持手段が、前記駆動ローラの軸方向における両端部において、前記ディスクガイドの揺動軸を、前記押圧部と前記駆動ローラとが対向する方向において移動可能に支持することにより、前記ディスクガイドを前記駆動ローラの軸方向に対する傾きが変化しうるよう支持すること
を特徴とするディスクローディング装置。
【請求項２】
前記ディスクガイドには、一対の前記揺動軸が互いに同軸に設けられており、
前記揺動支持手段は、前記一対の揺動軸をそれぞれ支持する一対の軸受部を有することを特徴とする請求項１に記載のディスクローディング装置。
【請求項３】
前記駆動ローラと前記押圧部とが対向する方向において、前記軸受部の長さが前記揺動軸の外径よりも長く、前記揺動軸が前記軸受部の内側で移動可能に支持されていることを特徴とする請求項２に記載のディスクローディング装置。
【請求項４】
少なくとも一つの前記揺動軸を、前記軸受部から脱落不能に保持するためのねじを更に備えたことを特徴とする請求項３に記載のディスクローディング装置。
【請求項５】
少なくとも一つの前記揺動軸が、前記軸受部を軸方向に貫通していることを特徴とする請求項３又は４に記載のディスクローディング装置。
【請求項６】
前記ディスクガイドは、前記搬送の方向に並ぶように配置された複数の前記押圧部を備え、前記複数の押圧部の間には溝部が形成され、
前記駆動ローラは、前記ディスクガイドの前記溝部に対向することを特徴とする請求項１から５までのいずれか１項に記載のディスクローディング装置。
【請求項７】
前記押圧部は、前記駆動ローラの軸方向における両端に近づくにつれて前記駆動ローラ側に突出する形状を有していることを特徴とする請求項１から６までのいずれか１項に記載のディスクローディング装置。
【請求項８】
請求項１から７までのいずれか１項に記載のディスクローディング装置と、
前記ディスクローディング装置により収納された前記ディスク媒体を保持して回転させるターンテーブルと、
前記ターンテーブルにより回転する前記ディスク媒体に対し、信号の記録、再生又はその両方を行うヘッドと
を備えたことを特徴とするディスク装置。
【手続補正２】
【補正対象書類名】明細書
【補正対象項目名】０００８
【補正方法】変更
【補正の内容】
【０００８】
本発明に係るディスクローディング装置は、回転することによりディスク媒体を搬送する駆動ローラと、前記駆動ローラに対向配置された押圧部と、前記押圧部を前記駆動ローラに対して接近及び離間させるよう揺動させるための揺動軸とを有するディスクガイドと、前記ディスクガイドの前記揺動軸を支持する揺動支持手段と、前記ディスクガイドの前記押圧部を前記駆動ローラ側に押圧するよう、前記ディスクガイドを付勢する付勢手段とを備える。前記揺動支持手段は、前記駆動ローラの軸方向における両端部において、前記ディスクガイドの揺動軸を、前記押圧部と前記駆動ローラとが対向する方向において移動可能に支持することにより、前記ディスクガイドを前記駆動ローラの軸方向に対する傾きが変化しうるよう支持する。